(57)【要約】【課題】  ＨＤＲ画像の表示レンジの変更による明るさ変化の有無をユーザに通知する。【解決手段】  ＨＤＲ画像よりダイナミックレンジの低い液晶表示パネル２０５には、ＨＤＲ画像を液晶表示パネル２０５のレンジで表示する通常表示と、ＨＤＲ画像の一部を、その階調を変更して表示する拡大表示を選択可能である。拡大表示において階調の調整がある場合、制御部２１０は、液晶表示パネル２０５の画面に、階調調整の有無を示す通知を表示する。【選択図】  図２
2018152809.tif 000002
【特許請求の範囲】
【請求項１】
画像を、表示可能なダイナミックレンジが前記画像よりも低い表示手段に、第１の表示倍率で表示する第１の表示状態から、前記画像の一部を前記第１の表示倍率よりも表示倍率の高い第２の表示倍率で前記表示手段に表示する第２の表示状態に切り替える切替手段と、
前記第１の表示状態から前記第２の表示状態に切り替えられた際に、前記画像を表示する階調を調整する調整手段と、
前記第１の表示状態から前記第２の表示状態に切り替えられたことに伴って前記調整手段によって階調の調整が行われた際に、該階調の調整を行ったことを示す通知表示を行うように制御する表示制御手段と
を有することを特徴とする表示制御装置。
【請求項２】
前記表示制御手段は、前記第１の表示状態においては前記通知表示は行わないように制御することを特徴とする請求項１に記載の表示制御装置。
【請求項３】
前記第１の表示状態から前記第２の表示状態に切り替えられたことに伴って前記調整手段による階調の調整が行われない場合には、前記第２の表示状態に切り替えられても前記通知表示を行わないように制御することを特徴とする請求項１または２に記載の表示制御装置。
【請求項４】
前記表示制御手段は更に、前記画像と共に該画像の輝度ヒストグラムを表示し、前記通知表示として前記輝度ヒストグラムに対する表示を行うように制御することを特徴とする請求項１乃至３のいずれか１項に記載の表示制御装置。
【請求項５】
更に、所定の操作に応じて、前記第２の表示状態での前記調整手段による階調設定を記憶する手段を有することを特徴とする請求項１から４のいずれか１項に記載の表示制御装置。
【請求項６】
前記表示制御手段は、前記通知表示と共に明部暗部指定手段を表示し、
更に、前記第２の表示状態での階調設定を明部暗部指定手段の指定に応じて記憶する手段を有する
ことを特徴とする請求項１から５のいずれか１項に記載の表示制御装置。
【請求項７】
前記通知表示が、表示中の階調部分と表示されていない階調部分を区別した表示を含むことを特徴とする請求項１から６のいずれか１項に記載の表示制御装置。
【請求項８】
画像を、表示可能なダイナミックレンジが前記画像よりも低い表示手段に、第１の表示倍率で表示する第１の表示状態から、前記画像の一部を前記第１の表示倍率よりも表示倍率の高い第２の表示倍率で前記表示手段に表示する第２の表示状態に切り替える切替ステップと、
前記第１の表示状態から前記第２の表示状態に切り替えられた際に、前記画像を表示する階調を調整手段で調整する調整ステップと、
前記第１の表示状態から前記第２の表示状態に切り替えられたことに伴って前記調整手段により階調の調整が行われた際に、該階調の調整を行ったことを示す通知表示を行うステップと
を有することを特徴とする表示制御装置の方法。
【請求項９】
コンピュータを、請求項１乃至７のいずれか１項に記載された表示制御装置の各手段として機能させるためのプログラム。
【請求項１０】
コンピュータを、請求項１乃至７のいずれか１項に記載された表示制御装置の各手段として機能させるためのプログラムを格納したコンピュータが読み取り可能な記憶媒体。
【発明の詳細な説明】
【技術分野】
【０００１】
本発明は、表示制御装置、表示制御装置の制御方法及びプログラム並びに記憶媒体に関し、表示画像の明るさを表示ダイナミックレンジに応じて変更するシステムにおける表示制御装置、表示制御装置の制御方法及びプログラム並びに記憶媒体に関する。
【背景技術】
【０００２】
近年、ＪＰＥＧの８ビット階調の画像よりも階調表現が幅広い１０ビット〜１６ビットの画像フォーマット（Ｈｉｇｈ  Ｄｙｎａｍｉｃ  Ｒａｎｇｅ画像：ＨＤＲ画像）が提案されている。
【０００３】
特許文献１には、ＨＤＲ画像の拡大表示時にも、表示範囲外の画像の階調範囲を考慮した明るさで拡大部分を表示する技術が開示されている。
【先行技術文献】
【特許文献】
【０００４】
【特許文献１】特許第４５３０２７７号公報
【発明の概要】
【発明が解決しようとする課題】
【０００５】
しかし、ＨＤＲ画像の階調に対して表示装置の性能には限界があり、再生においてＨＤＲ画像の広い階調を表示できないという問題がある。これに対し、広い階調を表示するため再生時にγカーブを変えるなど階調ビット数を圧縮することでＨＤＲ画像を表示し、結果的に実際よりも低コントラストな画像として表示することが提案されている。しかし、この方法では、低輝度の黒つぶれや高輝度の白飛びが生じない一方、コントラスト表現が実際と異なるため画像全体のメリハリが無い画像に見える問題がある。
【０００６】
画像再生で拡大をしたときに通常のコントラストで表示する技術も知られている。しかし、この技術でも、部分的に表示可能な階調にシフトして表示すると、拡大位置を移動して表示する階調領域のシフトが生じる場合に、画像の露出がわからなくなる問題がある。
【０００７】
特許文献１に記載の技術では、表示範囲外の画像の階調範囲を考慮することで拡大部分の露出を判断できるようにしている。しかし、ＨＤＲ画像の方が表示装置よりダイナミックレンジが広い場合には、拡大部分が黒くつぶれたり白く飛んだりしてしまう。これでは、ユーザが拡大表示に望む画像細部の確認が不可能な状況に遭遇することになる。
【０００８】
本発明は、このような不都合を解消し、ユーザへの状況通知を可能にした表示制御装置、表示制御装置の制御方法及びプログラム並びに記憶媒体を提示することを目的とする。
【課題を解決するための手段】
【０００９】
上記課題を解決するため、本発明に係る表示制御装置は、画像を、表示可能なダイナミックレンジが前記画像よりも低い表示手段に、第１の表示倍率で表示する第１の表示状態から、前記画像の一部を前記第１の表示倍率よりも表示倍率の高い第２の表示倍率で前記表示手段に表示する第２の表示状態に切り替える切替手段と、前記第１の表示状態から前記第２の表示状態に切り替えられた際に、前記画像を表示する階調を調整する調整手段と、前記第１の表示状態から前記第２の表示状態に切り替えられたことに伴って前記調整手段によって階調の調整が行われた際に、該階調の調整を行ったことを示す通知表示を行うように制御する表示制御手段とを有することを特徴とする。
【発明の効果】
【００１０】
本発明によれば、画像の一部を全体表示のときよりも高い表示倍率で表示する場合において階調の調整が行われたときに、その旨をユーザに通知するようにしたので、ユーザが明るさ変化の有無等を明確に認識できるようになる。
【図面の簡単な説明】
【００１１】
【図１】本発明の一実施例であるデジタルカメラの背面図である。
【図２】図１に示すデジタルカメラの概略構成ブロック図である。
【図３】本実施例の警告通知の表示例である。
【図４】本実施例のイベントループ処理のフローチャートである。
【図５】本実施例の再生表示処理のフローチャートである。
【図６】本実施例の拡大再生表示処理のフローチャートである。
【図７】本実施例の表示レンジ通知処理のフローチャートである。
【図８】本実施例のＯＫボタンのハンドラ処理のフローチャートである。
【図９】本実施例の明ボタン・暗ボタンのハンドラ処理のフローチャートである。
【発明を実施するための形態】
【００１２】
以下、図面を参照して、本発明の実施例を詳細に説明する。
【実施例１】
【００１３】
図１は、本発明に係る表示制御装置の一実施例を適用したレンズ交換式デジタルカメラ１００の背面図を示し、図２はその概略構成ブロック図を示す。
【００１４】
モードダイヤル１０１は、カメラ１００の撮影モードを選択するためのモードダイヤルである。モードダイヤル１０１の操作ダイヤル表面には、各種設定を手動で行うマニュアル露出モードや露出を絞り優先で行うＡｖモードの表記とともに、撮影目的に適した設定を自動で行う簡単撮影モードを選択するアイコンが並んで表記されている。モードダイヤル１０１の操作ダイヤルを回転させて所望のモードを選択することで、カメラ１００の撮影モードを選択できる。
【００１５】
光学ファインダ１０２を通して、ユーザまたは撮影者は、撮影レンズの視野内の光学像を直接目で見て確認できる。光学ファインダ１０２は、構図を決める際に利用される。光学ファインダ１０２の視野内には、ファインダ内表示装置１０３が配置されている。
【００１６】
液晶表示装置１０４は、ＬＶ（ライブビュー）画像及び再生画像を表示可能な表示手段であり、これらの画像にＧＵＩ（Graphical User Interface）のグラフィック・シンボル表示を重ねて表示することができる。液晶表示装置１０４の画面には、階調ビット数が８ｂｉｔを超えるハイ・ダイナミック・レンジ画像であるＨＤＲ画像１０５を表示できる。詳細は後述するが、第１の表示倍率でＨＤＲ画像全体を液晶表示装置１０４に表示する第１の表示状態と、ＨＤＲ画像の一部を前記第１の表示倍率よりも表示倍率の高い第２の表示倍率で表示する第２の表示状態を選択可能である。また、液晶表示装置１０４の画面には、表示中の画像の輝度ヒストグラムを表示するヒストグラム表示領域１０６を設定できる。
【００１７】
表示切替えボタン１０８は、画像再生時の情報表示の切り替えを指示する手段である。十字キー１０９は、液晶表示装置１０４のＧＵＩの操作に用いる操作部材である。画像再生ボタン１１１は、画像再生を指示する手段である。画像拡大ボタン１１２は、再生画像の拡大表示を指示する手段である。
【００１８】
図２を参照して、カメラ１００の構成と基本動作を説明する。カメラ１００は、カメラ本体２２０と、カメラ本体２２０に着脱可能な交換レンズである撮影レンズ２１４からなる。
【００１９】
ＭＰＵ２１２は、カメラ１００全体を統括制御する制御用マイクロプロセッサである。ＭＰＵ２１２は、ＲＯＭ、フラッシュメモリまたはＥＥＰＲＯＭなどの不揮発性メモリ、ＲＡＭのような揮発性メモリ、及び各種Ｉ／Ｏ回路で構成されるワンチップマイコンである。図２では、ＭＰＵ２１２とその他の回路のインタフェースの詳細は省略してある。例えば、ＭＰＵ２１２とＩＣＵ２１１は、シリアル通信インタフェースにより接続されている。
【００２０】
カメラ本体２２０の撮像素子２００は、撮影レンズ２１４による被写体光学像を電気信号に変換する素子であり、例えば、ＣＭＯＳ撮像素子からなる。撮影レンズ２１４には、ＭＰＵ２１２と通信する制御用マイクロプロセッサ（ＬＰＵ）からなるレンズ制御部２１３が組み込まれている。レンズ制御部２１３は、ＭＰＵ２１２は、からの指示に従い、撮影レンズ２１４のフォーカレンズ、絞り及び手ぶれ補正光学系を駆動すると共に、撮影レンズ２１４のフォーカス情報をＭＰＵ２１２に通知する。
【００２１】
レリーズボタン１１０には、レリーズボタン１１０の半押しでオンになるスイッチ（ＳＷ）２１５と、全押しでオンになるスイッチ（ＳＷ）２１６が組み込まれている。ＭＰＵ２１２は、スイッチ（ＳＷ）２１５がオンになると、測光・測距動作を開始し、ＳＷ２１６のオンで、静止画撮影を実行する。
【００２２】
信号処理部２０１は、撮像素子２００から連続した画像データを取得するセンサ制御とデータ転送を行なう。光学ファインダ撮影モードではレリーズボタン１１０が押されてから１回画像を取得するのに対し、ＬＶ（ライブビュー）撮影モードでは連続した画像を取得する。
【００２３】
ＤＳＰ（デジタルシグナルプロセッサ））２０４は、信号処理部２０１から出力される画像データを現像処理する現像処理部として機能し、液晶表示パネル２０５のダイナミックレンジに合わせてＨＤＲ画像の階調を調整する。詳細は後述するが、本実施例では、ＨＤＲ画像をそのダイナミックレンジより低いレンジの液晶表示パネル２０５に通常表示する場合（第１の表示倍率の第１の表示状態）と、ＨＤＲ画像の一部を拡大表示する場合（第２の表示倍率の第２の表示状態）とがある。ＤＳＰ２０４は、それぞれの場合に応じた階調調整処理を実行する。
【００２４】
液晶表示パネル（ＬＣＤ）２０５は、液晶表示装置１０４を構成する。液晶表示パネル２０５は、信号処理部２０１またはＤＳＰ２０４の出力画像データに応じた画像を表示画面に表示し、同時にＧＵＩ２０９からのビットマップデータも表示可能である。グリッド線はここに表示される。タッチパネル２０６は、液晶表示パネル２０５の表示画面上に重ねて配置され、ユーザのタッチ操作とそのタッチ座標位置を検出するデバイスである。ＨＤＲ画像は階調ビット数が１０ｂｉｔ〜１４ｂｉｔであるのに対し、液晶表示パネル２０５で表示できる画像の階調は８ｂｉｔである。
【００２５】
メモリ管理装置（ＭＭＵ）２０７は、信号処理部２０１及びＤＳＰ２０４によるＲＡＭ２０２の同時的な利用を管理する。例えば、メモリ管理装置（ＭＭＵ）２０７は、ある信号処理装置が参照しているＲＡＭ２０２の領域を他の信号処理装置が書き換えてしまうことのないように管理する。
【００２６】
記録媒体２０３は、各種のメモリカードからなり、カメラ本体２２０に着脱可能な媒体、または、カメラ本体２２０に内蔵される媒体からなる。記録制御部２０８は、記録媒体２０３へのデータ読み書きを制御する。この実施例では、記録媒体２０３には、圧縮符号化された動画データ及び静止画データなどが記録される。
【００２７】
ＧＵＩ（グラフィカル・ユーザ・インターフェース）２０９は、ＤＳＰ２０４の出力画像データに重ねて表示するアイコン及び枠等のビットマップデータを生成するビットマップデータ生成手段である。特徴的には、ＧＵＩ２０９は、拡大表示中であることを示すアイコン及び明るさシフト表示を生成する。
【００２８】
制御部２１０は、ＭＰＵ２１２からのレンズ情報を受け取り、ＩＣＵ２１１を構成する各部の動作を制御する。例えば、制御部２１０は、ＤＳＰ２０４による画像データの現像完了に合わせて、液晶表示パネル２０５に現像済みの画像データを転送する。なお、制御部２１０とＧＵＩ２０９はデバイスとして別である必要はない。本実施例では、制御部２１０がＨＤＲ画像の拡大部分の表示明るさを求める処理を実行し、ＧＵＩ２０９が描画処理を行っているが、両者の果たすべき機能をプログラムとして１チップのマイコンで実現させても良い。
【００２９】
ＩＮＦＯスイッチ２１７は、表示切替えボタン１０８を構成するスイッチであり、再生画像の情報表示の形態を切り替えるユーザ操作に応じてオンとなる。ＰＬＡＹスイッチ２１８は画像再生ボタン１１１を構成するスイッチであり、画像再生のユーザ操作に応じてオンとなる。ＭＡＧスイッチ２１９は画像拡大ボタン１１２を構成するスイッチであり、再生画像の拡大を指示するユーザ操作に応じてオンとなる。
【００３０】
図３は、液晶表示装置１０４（液晶表示パネル２０５）に表示される警告表示例を示す。表示画像例３０１は、液晶表示装置１０４に再生表示されるＨＤＲ画像である。ここでは、拡大せず全体を表示しており、これを通常再生と呼ぶ。ＨＤＲ画像は階調ビット数が多ビット（１０ｂｉｔ〜１４ｂｉｔ）であるのに対し、ＤＳＰ２０４が階調調整手段として、液晶表示パネル２０５で表示可能な階調（８ｂｉｔ）に落としている。この処理の結果、例えば、白に近い明るい部分と黒に近い暗い部分の階調が失われて、いわゆるトビとツブレがある状態での表示となる。このようなトビとツブレを避けるために、コントラストを変換することもある。表示画像例３０１は、撮影時の設定及び画像のファイル名などの情報を表示しない、情報なしモードで表示されている。
【００３１】
ユーザが画像拡大ボタン１１２を押すことにより、表示画像例３０２に示すように、拡大表示に遷移する。このための拡大操作は、例えば、画像拡大ボタン１１２を押し、十字キー１０９で倍率を変更する操作であるが、タッチ操作で拡大縮小する方法でもよい。ここでは、画像拡大ボタン１１２を押すと５倍拡大になるものとして説明する。
【００３２】
表示画像例３０２で示す拡大画面に切り替わると、ＭＰＵ２１２は、元の画像（表示画像例３０１）の表示が、情報なしモードであっても、ヒスト表示３０３を、ユーザへの通知または警告として表示する。拡大表示では、拡大範囲の階調幅を液晶表示パネル２０５の階調幅に合わせて表示しなおすので、見た目の明るさが変わることがある。ＪＰＥＧ画像であれば拡大画面で露出も確認できるが、ＨＤＲ画像では露出を拡大表示で判断できない。そこで、本実施例では、ＨＤＲ画像の拡大表示の場合に、所定の警告を表示してユーザに通知する。
【００３３】
通常コントラストで表示することが重要なのは、拡大表示はピントの確認に用いられることがあるからである。通常再生ではコントラスト変換での表示もよいとしたが、いわゆる「眠い」画像となる。その結果、コントラスト変換は、ピント確認など細部を見る拡大表示には適さない。
【００３４】
ヒスト表示３０３は、斜線がかかっているＨＤＲ画像のヒストグラム表示内に液晶表示パネル２０５のダイナミックレンジ幅を斜線なしで表示するように構成されている。これにより、ユーザが、いま見ている画像部分がＨＤＲ画像の広いダイナミックレンジ内のどの階調部分に位置するかを区別して認識できる。そして、斜線がかかった部分のヒストグラムにより、ユーザは、液晶表示パネル２０５の階調幅を超えてトビまたはツブレになっている部分の階調残りを知ることができる。
【００３５】
ヒスト表示３０３の別例３０４〜３０７を説明する。ヒスト警告３０４は、表示画像例３０２で示す拡大画面に切り替わるときに表示される通知表示の別形態である。三角枠に！マークを入れた警告が追加されている。
【００３６】
ヒストＤ＋表示３０５は、高輝度階調優先（Ｄ＋）またはオートライティングオプティマイザ（ＡＬＯ）機能オンで撮影された画像であることを示す。すなわち、高輝度階調優先で撮影されるか、オートライティングオプティマイザ（ＡＬＯ）機能をオンにして撮影される画像を拡大表示する場合に、その旨をユーザに通知する。ヒスト警告３０４の！マークに代えて、Ｄ＋とＡＬＯの文字列が二列で表示される。
【００３７】
ヒストＯＫ表示３０６は、ヒスト表示３０３にＯＫボタンを追加したものである。この拡大範囲を表示している階調幅を、今後このＨＤＲ画像を液晶表示パネル２０５で通常再生するときの表示設定に登録することを、ＯＫボタンの操作で指示できる。ユーザがＯＫボタンをタッチすると、ＭＰＵ２１２は、液晶表示パネル２０５に現に拡大表示する部分を通常再生したときに適切な階調で表示できるよう、対応する画像ファイルに階調幅の設定を登録する。
【００３８】
ヒスト明暗表示３０７は、ヒスト表示３０３に、拡大範囲を液晶表示パネル２０５で表示し得る暗い方の限界として設定する暗ボタンと、明るい方の限界として設定する明ボタンを追加したものである。明ボタンと暗ボタンは明部暗部指定手段として使用される。ある拡大範囲でいずれかのボタンをユーザがタッチすると、ＭＰＵ２１２は、その拡大範囲の階調を液晶表示パネル２０５の階調幅の下限（暗）または上限（明）に設定する。これは、拡大範囲を利用して液晶表示パネル２０５で表示する際に、低輝度限界にしたい箇所及び高輝度飽和にしたい箇所を指定するような場合に便利である。ＭＰＵ２１２は、対応する画像ファイルに階調幅の設定を登録する。画像ファイルに登録された階調幅の情報は、通常再生、及び、ＨＤＲ画像からＪＰＥＧ画像を生成する処理など、階調ビット数の少ない画像への変換処理全般で利用できる。
【００３９】
図４は、ユーザ操作に対するスイッチイベントループのフローチャートを示す。図４における各処理は、ＭＰＵ２１２が内蔵するＲＯＭに格納されたプログラムをワークメモリに展開して実行することにより実現される。
【００４０】
Ｓ４０１では、ＭＰＵ２１２は、ユーザのカメラ操作を検知して操作ボタンに応じた処理を行うループ処理を開始する。
【００４１】
Ｓ４０２では、ＭＰＵ２１２は、現在のカメラの動作状態を取得する。測光中、再生表示状態、拡大再生表示状態及び各種設定状態などの状態のいずれであるかを取得する。同じ操作ボタンがこれら状態に応じて異なる機能に割り当てられる場合がある。
【００４２】
Ｓ４０３では、ＭＰＵ２１２は、操作手段１０８，１０９，１１１，１１２の操作によるスイッチ２１５、２１６、２１８、２１９のオンに基づく操作イベントを取得する。
【００４３】
Ｓ４０５では、ＭＰＵ２１２は、取得した状態とイベントをテーブル４０６に照合して、実行すべき処理を決定し、各処理に分岐する。待機状態で画像再生ボタン１１１を押されたとき、ＭＰＵ２１２は、Ｓ４０７で、画像の再生表示処理を実行する。再生状態で画像拡大ボタン１１２を押されたとき、ＭＰＵ２１２は、Ｓ４０８で、画像の拡大再生表示処理を実行する。
【００４４】
図５を参照して、再生表示処理（Ｓ４０７）を説明する。図５は、再生表示処理（Ｓ４０７）を実現するサブルーチンのフローチャートを示す。図５における各処理は、ＭＰＵ２１２が内蔵するＲＯＭに格納されたプログラムをワークメモリに展開して実行することにより実現される。
【００４５】
Ｓ５０１では、ＭＰＵ２１２は、再生表示処理（Ｓ４０７）を開始する。
【００４６】
Ｓ５０２では、ＭＰＵ２１２は、再生すべき画像を記録媒体２０３から読み込む。このとき読み込む画像ファイルには、画像の素性を示すヘッダが含まれており、数値化された画像データがＨＤＲ画像かどうかを示す情報が記録されている。
【００４７】
Ｓ５０４では、ＭＰＵ２１２は、ＨＤＲ画像かどうかを判定する。ＨＤＲ画像の場合（Ｙ）、ＭＰＵ２１２は、Ｓ５０５に進み、そうでない場合、Ｓ５０６に進む。Ｓ５０５では、ＭＰＵ２１２は、ＨＤＲ画像データの表示を準備し、Ｓ５０６では、通常の画像データの表示を準備する。
【００４８】
Ｓ５０７では、ＭＰＵ２１２は、準備された画像データを液晶表示パネル２０５に供給して画像を表示させる。このとき、ＭＰＵ２１２は、通常表示かＨＤＲ表示か、ＨＤＲ表示であれば液晶表示パネル２０５にどの階調領域を表示するようにしたかといった表示情報を記録媒体２０３に記録する。
【００４９】
図６を参照して、拡大再生表示処理（Ｓ４０８）の詳細を説明する。図６は、拡大再生表示処理（Ｓ４０８）を実現するサブルーチンのフローチャートを示す。図６における各処理は、ＭＰＵ２１２が内蔵するＲＯＭに格納されたプログラムをワークメモリに展開して実行することにより実現される。
【００５０】
Ｓ６０１では、ＭＰＵ２１２は、拡大再生表示処理（Ｓ４０８）のサブルーチンの実行を開始する。
【００５１】
Ｓ６０２では、ＭＰＵ２１２は、再生表示で記録した階調領域情報を記録媒体２０３から読み込む。
【００５２】
Ｓ６０４では、ＭＰＵ２１２は、表示すべき画像がＨＤＲ画像か否かを判定する。ＨＤＲ画像の場合（Ｙ）、Ｓ６０５に進み、そうでない場合、Ｓ６０６に進む。
【００５３】
Ｓ６０５では、ＭＰＵ２１２は、ＨＤＲ拡大表示の画像データを準備する。Ｓ６０７では、ＭＰＵ２１２は、表示レンジ通知処理を実行する。この処理の詳細は後述する。
【００５４】
Ｓ６０６では、ＭＰＵ２１２は、通常拡大表示の画像データを準備する。
【００５５】
Ｓ６０８では、ＭＰＵ２１２は、準備された画像データを液晶表示パネル２０５に出力することで、対応する画像を表示させる。
【００５６】
図７を参照して、本実施例における警告表示とＧＵＩ操作の動作を説明する。図７は、表示レンジ通知処理（Ｓ６０７）を実現するサブルーチンのフローチャートを示す。図７における各処理は、ＭＰＵ２１２が内蔵するＲＯＭに格納されたプログラムをワークメモリに展開して実行することにより実現される。
【００５７】
Ｓ７０１では、ＭＰＵ２１２は、表示レンジ通知処理（Ｓ６０７）のサブルーチンの実行を開始する。
【００５８】
Ｓ７０２では、ＭＰＵ２１２は、記録媒体２０３から、拡大表示する画像が通常画像かＨＤＲ画像かどうかの情報を取得し、カメラ設定値からアイコン表示の設定情報を取得する。
【００５９】
Ｓ７０５では、ＭＰＵ２１２は、Ｓ７０２で取得した情報に基づき、通常画像かＨＤＲ画像かで分岐処理する。通常画像の場合、図７に示す処理を終了し、ＨＤＲ画像の場合、カメラ表示設定に応じてＳ７０６〜Ｓ７１１に進む。則ち、カメラ表示設定がヒストグラム表示の場合、Ｓ７０６に進む。ヒストグラム警告表示の場合、Ｓ７０７に進む。ＡＬＯ／Ｄ＋警告表示の場合、Ｓ７０８に進む。ヒストグラム階調ＯＫ表示の場合、Ｓ７０９に進む。ヒストグラム明暗設定表示の場合、Ｓ７１１に進む。
【００６０】
Ｓ７０６では、ＭＰＵ２１２は、拡大画像に重ねるためのヒスト表示３０３の形態のグラフィックデータをＧＵＩ２０９に準備させる。
【００６１】
Ｓ７０７では、ＭＰＵ２１２は、拡大画像に重ねるためのヒスト警告３０４の形態のグラフィックデータをＧＵＩ２０９に準備させる。
【００６２】
Ｓ７０８では、ＭＰＵ２１２は、拡大画像に重ねるためのヒストＤ＋表示３０５の形態のグラフィックデータをＧＵＩ２０９に準備させる。
【００６３】
Ｓ７０９では、ＭＰＵ２１２は、拡大画像に重ねるためのヒストＯＫ表示３０６の形態のグラフィックデータをＧＵＩ２０９に準備させる。Ｓ７１０では、ＭＰＵ２１２は、画面上のＯＫボタンのタッチ領域にタッチ操作が行われたらＯＫボタンタッチハンドラが起動するように設定する。すなわち、ＯＫボタンに相当する領域のタッチ検出を有効化する。
【００６４】
Ｓ７１１では、ＭＰＵ２１２は、拡大画像に重ねるためのヒスト明暗表示３０７の形態のグラフィックデータをＧＵＩ２０９に準備させる。Ｓ７１２では、ＭＰＵ２１２は、画面上の明ボタン及び暗ボタンのタッチ領域にタッチ操作が行われたら、それぞれ明ボタンタッチハンドラ及び暗ボタンタッチハンドラが起動するように設定する。
【００６５】
Ｓ７１３で、ＭＰＵ２１２は、液晶表示パネル２０５に準備したグラフィックデータを表示させる。
【００６６】
図７に示す表示処理ののちにタッチ操作が行われた場合のタッチハンドラ処理を、図８及び図９を参照して説明する。
【００６７】
図８は、ヒストＯＫ表示３０６のＯＫボタンがタッチされたときに呼び出されるＯＫボタンハンドラのフローチャートである。図８における各処理は、ＭＰＵ２１２が内蔵するＲＯＭに格納されたプログラムをワークメモリに展開して実行することにより実現される。
【００６８】
ユーザがヒストＯＫ表示３０６のＯＫ領域をタッチすると、ＭＰＵ２１２は、Ｓ８０１で、図８に示す処理を開始する。Ｓ８０２では、ＭＰＵ２１２は、液晶表示パネル２０５での表示に現在使用している階調設定を、対応する画像のＨＤＲ画像ファイルヘッダに記録する。
【００６９】
図９は、ヒスト明暗表示３０７の明ボタンまたは暗ボタンがタッチされたときに呼び出される明ボタン暗ボタンハンドラのフローチャートである。図９における各処理は、ＭＰＵ２１２が内蔵するＲＯＭに格納されたプログラムをワークメモリに展開して実行することにより実現される。
【００７０】
ユーザがヒスト明暗表示３０７の明ボタンか暗ボタンの領域にタッチすると、ＭＰＵ２１２は、Ｓ９０１で、図９に示す処理を開始する。
【００７１】
Ｓ９０２では、ＭＰＵ２１２は、いずれのボタンのタッチ領域にタッチされたかを判定する。明ボタンの場合、Ｓ９０３に進み、暗ボタンの場合、Ｓ９０４に進む。
【００７２】
Ｓ９０３では、ＭＰＵ２１２は、液晶表示パネル２０５の高輝度限界に、現在表示している拡大表示範囲の高輝度階調を対応させる設定を、対応する画像のＨＤＲ画像ファイルヘッダに記録する。
【００７３】
Ｓ９０４では、ＭＰＵ２１２は、液晶表示パネル２０５の低輝度限界に、現在表示している拡大表示範囲の低輝度階調を対応させる設定を、対応する画像のＨＤＲ画像ファイルヘッダに記録する。
【００７４】
なお、ＭＰＵ２１２が行うものとして説明した上述の各種制御は、１つのハードウェアが行ってもよいし、複数のハードウェアが処理を分担することで、装置全体の制御を行ってもよい。
【００７５】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００７６】
また、上述した実施形態においては、本発明を交換レンズ式デジタルカメラに適用した場合を例にして説明したが、これはこの例に限定されず、ＨＤＲ画像を再生表示する機器であれば、製品名称の如何を問わず適用可能である。例えば、パーソナルコンピュータやＰＤＡ、携帯電話端末や携帯型の画像ビューワ、デジタルフォトフレーム、音楽プレーヤ、ゲーム機、電子ブックリーダ、タブレット端末、スマートフォン、投影装置、ディスプレイを備える家電装置や車載装置などがある。
【００７７】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
2018152809.tif 000003
【図２】
2018152809.tif 000004
【図３】
2018152809.tif 000005
【図４】
2018152809.tif 000006
【図５】
2018152809.tif 000007
【図６】
2018152809.tif 000008
【図７】
2018152809.tif 000009
【図８】
2018152809.tif 000010
【図９】
2018152809.tif 000011